(57)【要約】【課題】内水面漁場の規模に合わせて効率よく実施でき，また，捕獲した魚を選り分ける作業の必要がなく，ブラックバスを効果的に捕獲する。【解決手段】魚検出装置３の検出器３２が基板３１に取り付けられ，ブラックバスの力で押されたとき作動して検出信号を発する。魚検出装置３の発信部３３が基板３１に連結し，検出器３２の検出信号に応じて魚検知信号を発する。側壁２１が包囲形状を有し側面に魚の出入口２４を有する。魚検出装置３は側壁２１の内側に配置されている。刺網６が下端に錘入りロープ６ａを有し心棒５に巻き付けられて刺網支持材４により支持され，出入口２４を開閉可能である。ストッパ８が刺網支持材４に設けられて出入口２４を開いた状態で刺網６を保持する。検出器３２の検出信号に応じてストッパ８は刺網６の保持を解除する。錘入りロープ６ａが降下して刺網６が出入口２４を閉じる。【選択図】図１
2005312328.tif 000002
【特許請求の範囲】
【請求項１】
スズキ目スズキ亜目サンフィッシュ科の魚類の営巣動作を検出する検出器と，前記検出器の検出信号に応じて魚検知信号を発する発信部とを有することを特徴とする魚検出装置。
【請求項２】
基板と，前記基板に取り付けられ，魚の力で押されたとき作動して電気的に検出信号を発する検出器と，前記基板に連結し，前記検出器の検出信号に応じて電気的に魚検知信号を発する発信部とを有することを特徴とする魚検出装置。
【請求項３】
少なくとも一部が強磁性体または永久磁石から成る基板と，魚の力で押されたとき前記基板から離れる吸着力で前記基板に吸着する強磁性体または磁石を有する浮きとを，有することを特徴とする魚検出装置。
【請求項４】
前記浮きが前記基板から離れたとき検出信号を発する検出器を有することを特徴とする請求項３記載の魚検出装置。
【請求項５】
請求項１，２または４記載の魚検出装置と，前記検出器の検出信号に応じて前記魚検出装置の付近で広がる刺網とを，有することを特徴とする魚捕獲装置。
【請求項６】
請求項１，２または４記載の魚検出装置と，包囲する形状を有し側面に魚の出入口を有する側壁と，刺網支持材と，前記出入口の上方で前記刺網支持材により回転可能に支持された心棒と，上端が前記心棒に取り付けられ下端に錘を有し前記心棒に巻き付けられた状態で前記出入口を開き，前記錘の降下により前記出入口を閉鎖可能な刺網と，前記心棒を前記刺網支持材に固定し前記検出器の検出信号に応じて前記心棒の固定を解除するストッパとを有し，前記魚検出装置は前記側壁の内側に配置されていることを特徴とする魚捕獲装置。
【請求項７】
人工産卵床を有し，前記人工産卵床は円筒状の前記側壁と前記側壁の底部とを有し，前記側壁はスズキ目スズキ亜目サンフィッシュ科の魚類が内部に産卵可能な大きさを有し，前記底部の上に砂利が敷設されていることを，特徴とする請求項６記載の魚捕獲装置。
【請求項８】
スズキ目スズキ亜目サンフィッシュ科の魚類の産卵場所での営巣動作を検出し，その営巣動作を検出したとき魚検知信号を発するとともに前記産卵場所への前記魚類の出入口を刺網で閉じ，前記刺網に掛かった前記魚類を獲ることを特徴とする魚捕獲方法。
【請求項９】
請求項６または７記載の魚捕獲装置を水底に設置し，前記検出器の検出信号に応じて前記刺網が前記出入口を閉じた後，前記刺網に掛かった前記魚類を獲ることを特徴とする魚捕獲方法。
【発明の詳細な説明】
【技術分野】
【０００１】
本発明は，ブラックバスなどの魚を駆除するのに適した魚検出装置，魚捕獲装置および魚捕獲方法に関するものである。
【背景技術】
【０００２】
1970年代以降，全国的にオオクチバス（学名Micropterus salmoides）（別名ブラックバス）が増加している。この食害により，小型魚類が減少して内水面漁場が荒廃すると同時にその影響は昆虫や野鳥を含む生態系全体に及ぶことから，ブラックバスの増加は社会問題化している。2003年に自然再生法（環境省）が施行されて生態系への配慮が義務づけられ，さらに環境省は外来種対策の法制化を準備しており，外来魚対策は自治体などにより全国的に取り組まれつつある。これを受けて，外来魚を効果的に駆除する方法の開発が急務とされ，国研や漁具製造販売店などが捕獲装置の開発に取り組んでいるが，大部分のブラックバスが生息する透明度の低い水域では池干しを除き有効手段がない。
【０００３】
従来，ブラックバス捕獲装置として，保護育成エリアにブラックバスのおとり餌となる稚魚，幼魚を入れ，それを狙って捕獲本体に侵入したブラックバスを捕獲するものがある（特許文献１参照）。
また，集魚手段により魚を魚捕獲手段に誘導して捕獲するものがある（特許文献２参照）。
【０００４】
【特許文献１】特開2001-269109号公報
【特許文献２】特開2002-360121号公報
【発明の開示】
【発明が解決しようとする課題】
【０００５】
しかしながら，特許文献１に記載のおとり装置や，特許文献２に記載の誘導装置は大規模な装置であり，導入費が嵩むことから，小規模の内水面漁場には適さないという課題があった。また，ブラックバス以外の魚も捕獲されるため，選り分ける作業が必要になるとともに有用な魚類を誤って捕獲するという課題があった。
【０００６】
本発明は，このような課題に着目してなされたもので，内水面漁場の規模に合わせて効率よく実施でき，また，捕獲した魚を選り分ける作業の必要がなく，ブラックバスを効果的に捕獲可能な魚検出装置，魚捕獲装置および魚捕獲方法を提供することを目的とする。
【課題を解決するための手段】
【０００７】
上記目的を達成するために，本発明に係る魚検出装置は，スズキ目スズキ亜目サンフィッシュ科の魚類の営巣動作を検出する検出器と，前記検出器の検出信号に応じて魚検知信号を発する発信部とを有することを特徴とする。
【０００８】
スズキ目スズキ亜目サンフィッシュ科の魚類には，オオクチバス（学名Micropterus salmoides）（別名ブラックバス），コクチバス（学名Micropterus dolomieu）（別名ブラックバス），ブルーギル（学名Lepomis macrochirus）が含まれる。
【０００９】
スズキ目スズキ亜目サンフィッシュ科の魚類は，営巣動作として尾びれなどで産卵床の小石などを跳ね上げたり，石の表面を清掃したりする動作を行う。この営巣動作を検出器で検出し，検出器の検出信号に応じて発信部で魚検知信号を発する。検出器は，機械的なものであっても電気的なものであってもよい。魚検知信号は，表示信号であっても音信号であってもよい。魚検知信号により，スズキ目スズキ亜目サンフィッシュ科の魚類がいることを検出することができる。
【００１０】
本発明に係る魚検出装置は，検出器および発信部の簡単な構成から成るため，内水面漁場の規模に合わせて設置数を調節することにより効率よく実施できる。また，スズキ目スズキ亜目サンフィッシュ科の魚類に特有の営巣動作を利用して，その魚類のみを検出し捕獲することができるので，捕獲した魚を選り分ける作業の必要がなく，ブラックバスを効果的に捕獲することができ，また，他の有用魚類を誤って漁獲することもない。
【００１１】
本発明に係る魚検出装置は，基板と，前記基板に取り付けられ，魚の力で押されたとき作動して電気的に検出信号を発する検出器と，前記基板に連結し，前記検出器の検出信号に応じて電気的に魚検知信号を発する発信部とを有するものであってもよい。この構成では，検出器が営巣動作などにより魚の力で押されたとき作動して電気的に検出信号を発する。発信部は，検出器の検出信号に応じて発信部で電気的に魚検知信号を発する。これにより，魚がいることを検出することができる。発信部は基板に連結しているので，発信部から基板の位置，すなわち魚の位置を見つけやすくなっている。
【００１２】
検出器がスズキ目スズキ亜目サンフィッシュ科の魚類に特有の営巣動作により押されたとき作動するようにすれば，その魚がいることを検出することができる。検出器および発信部の簡単な構成から成るため，内水面漁場の規模に合わせて設置数を調節することにより効率よく実施できる。また，スズキ目スズキ亜目サンフィッシュ科の魚類に特有の営巣動作を利用すれば，その魚類のみを検出し捕獲することができるので，捕獲した魚を選り分ける作業の必要がなく，ブラックバスを効果的に捕獲することができ，また，他の有用魚類を誤って漁獲することもない。
【００１３】
本発明に係る魚検出装置は，少なくとも一部が強磁性体または永久磁石から成る基板と，魚の力で押されたとき前記基板から離れる吸着力で前記基板に吸着する強磁性体または磁石を有する浮きとを，有するものであってもよい。この構成では，基板に磁力で吸着した浮きが営巣動作などにより魚の力で押されたとき基板から離れて，浮かび上がる。これにより，魚がいることを検出することができる。浮きがスズキ目スズキ亜目サンフィッシュ科の魚類に特有の営巣動作により押されたとき基板から離れるようにすれば，その魚がいることを検出することができる。基板と浮きの簡単な構成から成るため，内水面漁場の規模に合わせて設置数を調節することにより効率よく実施できる。また，スズキ目スズキ亜目サンフィッシュ科の魚類に特有の営巣動作を利用すれば，その魚類のみを検出し捕獲することができるので，捕獲した魚を選り分ける作業の必要がなく，ブラックバスを効果的に捕獲することができ，また，他の有用魚類を誤って漁獲することもない。なお，強磁性体としては，鉄が好適であり，塗装などにより表面に防錆処理がなされているものがより好ましい。
【００１４】
本発明に係る魚検出装置は，浮きを用いたものでは，前記浮きが前記基板から離れたとき検出信号を発する検出器を有していてもよい。
【００１５】
本発明に係る魚検出装置は，側壁と前記側壁の底部とを有し，前記側壁はスズキ目スズキ亜目サンフィッシュ科の魚類が内部に産卵可能な大きさを有し，前記底部の上に砂利が敷設されている人工産卵床の砂利の上に配置されていることが好ましい。
【００１６】
本発明に係る魚捕獲装置は，前述の魚検出装置と，前記検出器の検出信号に応じて前記魚検出装置の付近で広がる刺網とを，有することを特徴とする。
【００１７】
本発明に係る魚捕獲装置は，魚検出装置の検出器が営巣動作などにより魚の力で押されたとき検出信号を発し，その検出信号に応じて刺網が魚検出装置の付近で広がる。これにより，刺網で魚を捕獲することができる。魚を捕獲したことは，魚検知信号により知ることができる。これにより，簡単な構成から成る魚捕獲装置を用いて，内水面漁場の規模に合わせて設置数を調節することにより効率よく捕獲作業を実施できる。また，スズキ目スズキ亜目サンフィッシュ科の魚類に特有の営巣動作を利用して，その魚類のみを検出し捕獲することができるので，捕獲した魚を選り分ける作業の必要がなく，ブラックバスを効果的に捕獲することができ，また，他の有用魚類を誤って漁獲することもない。
【００１８】
本発明に係る魚捕獲装置は，前述の魚検出装置と，包囲する形状を有し側面に魚の出入口を有する側壁と，刺網支持材と，下端に錘を有し前記刺網支持材により前記出入口の上方で支持されて前記出入口を開閉可能な刺網と，前記刺網支持材に設けられて前記出入口を開いた状態で前記刺網を保持し，前記検出器の検出信号に応じて前記刺網の保持を解除し前記錘を降下させて前記刺網に前記出入口を閉じさせるストッパとを有し，前記魚検出装置は前記側壁の内側に配置されていることが好ましい。ストッパは，例えば，電磁プランジャから成ってもよい。
【００１９】
また，本発明に係る魚捕獲装置は，前述の魚検出装置と，包囲する形状を有し側面に魚の出入口を有する側壁と，刺網支持材と，前記出入口の上方で前記刺網支持材により回転可能に支持された心棒と，上端が前記心棒に取り付けられ下端に錘を有し前記心棒に巻き付けられた状態で前記出入口を開き，前記錘の降下により前記出入口を閉鎖可能な刺網と，前記心棒を前記刺網支持材に固定し前記検出器の検出信号に応じて前記心棒の固定を解除するストッパとを有し，前記魚検出装置は前記側壁の内側に配置されていることが好ましい。
【００２０】
本発明に係る魚捕獲装置では，側壁の内側に魚が入り，魚検出装置の検出器が営巣動作などにより魚の力で押されたとき，検出信号を発する。その検出信号に応じてストッパが心棒の固定を解除する。刺網は，側壁の魚の出入口の上方で心棒に巻き付けられて出入口を開いた状態から下端の錘が降下して出入口を閉じる。これにより，刺網で魚を捕獲することができる。魚を捕獲したことは，魚検知信号により知ることができる。
【００２１】
本発明に係る魚捕獲装置は，人工産卵床を有し，前記人工産卵床は円筒状の前記側壁と前記側壁の底部とを有し，前記側壁はスズキ目スズキ亜目サンフィッシュ科の魚類が内部に産卵可能な大きさを有し，前記底部の上に砂利が敷設されていることが好ましい。
【００２２】
人工産卵床は，産卵場所を覆う側壁を有し，砂利が底部に敷設されているため，スズキ目スズキ亜目サンフィッシュ科の魚類に産卵場所として好まれる。魚検出装置はその側壁の内側に配置されているため，人工産卵床に魚が入ったことを検出し，刺網により魚を捕獲することができる。
【００２３】
ブラックバスは警戒心が強く，刺網などを回避することが多い。このため，営巣開始以前に刺網を設置すると，人工産卵床などへの誘導が困難になるおそれがある。ブラックバスの雄が産卵床に営巣して雌が産卵すると，雄は産卵床を守るため攻撃的になる。これ以降，漁具に対する警戒心が低下して刺網による捕獲が容易になるので，確実に捕獲するためには，人工産卵床における営巣と産卵の両方を確認する必要がある。しかし，透明度が低い水域における劣悪な視界の条件下で，観察筒などにより，産み付けられた卵を確認する場合，確認作業に多数の熟練調査員による多大な時間を要し，場合によっては確認できないことも多い。
【００２４】
これに対し，本発明に係る魚捕獲装置では，透明度が低い水域で，熟練調査員がいなくても，魚検出装置により営巣を容易に確認することができ，作業時間を短縮することができる。また，熟練漁業者がいなくてもブラックバスを容易に捕獲することができる。
【００２５】
本発明に係る魚捕獲装置は，簡単な構成のものを用いて，内水面漁場の規模に合わせて設置数を調節することにより効率よく捕獲作業を実施できる。また，スズキ目スズキ亜目サンフィッシュ科の魚類に特有の営巣動作を利用して，その魚類のみを検出し捕獲することができるので，捕獲した魚を選り分ける作業の必要がなく，ブラックバスを効果的に捕獲することができ，また，他の有用魚類を誤って漁獲することもない。
【００２６】
本発明に係る魚捕獲方法は，スズキ目スズキ亜目サンフィッシュ科の魚類の産卵場所での営巣動作を検出し，その営巣動作を検出したとき魚検知信号を発するとともに前記産卵場所への前記魚類の出入口を刺網で閉じ，前記刺網に掛かった前記魚類を獲ることを特徴とする。本発明に係る魚捕獲方法は，本発明に係る魚捕獲装置を用いて好適に実施できる。これにより，簡単な構成から成る魚捕獲装置を用いて，内水面漁場の規模に合わせて設置数を調節することにより効率よく捕獲作業を実施できる。また，スズキ目スズキ亜目サンフィッシュ科の魚類に特有の営巣動作を利用して，その魚類のみを検出し捕獲することができるので，捕獲した魚を選り分ける作業の必要がなく，ブラックバスを効果的に捕獲することができ，また，他の有用魚類を誤って漁獲することもない。
【００２７】
本発明に係る魚捕獲方法は，前述の刺網を有する魚捕獲装置を水底に設置し，前記検出器の検出信号に応じて前記刺網が前記出入口を閉じた後，前記刺網に掛かった前記魚類を獲るものであってもよい。
【発明の効果】
【００２８】
本発明によれば，内水面漁場の規模に合わせて効率よく実施でき，また，捕獲した魚を選り分ける作業の必要がなく，ブラックバスを効果的に捕獲可能な魚検出装置，魚捕獲装置および魚捕獲方法を提供することができる。
【発明を実施するための最良の形態】
【００２９】
以下，図面に基づき，本発明を実施するための最良の形態について説明する。
図１乃至図４は本発明を実施するための最良の形態を示し，図１はその魚捕獲装置の全体を示す斜視図，図２はその魚捕獲装置の人工産卵床を示す斜視図，図３はその魚捕獲装置の魚検出装置を示す斜視図，図４はその魚捕獲装置の刺網支持材で支持された刺網を示す斜視図である。
【００３０】
図１に示すように，魚捕獲装置１は，人工産卵床２と，魚検出装置３と，１対の刺網支持材４と，心棒５と，刺網６と，タイマー７と，ストッパ８とを有している。図２に示すように，人工産卵床２は，円筒状の側壁２１と側壁２１の底部２２とネットカバー２３とを有している。四角形の人工産卵床では，カバーと産卵床に隙間ができやすいので，破損しやすい。
【００３１】
これに対し，人工産卵床を円形にすることにより，その組み立てを容易にし，強度を高めることができる。側壁２１および底部２２は，ネット構造のプラスチックから成り，網の目状の多数の開孔を有している。側壁２１は，スズキ目スズキ亜目サンフィッシュ科の魚類が内部に産卵可能な大きさ（一例で直径６０ｃｍ，高さ３５ｃｍ）を有している。側壁２１は，側面にブラックバスなどの魚の出入口２４を有している。出入口２４は，底部２２の円周の１／２ないし１／３の範囲で形成されている。ネットカバー２３は，側壁２１に覆うよう取り付けられている。底部２２の上には，砕石などの砂石，砂利２５が敷き詰められている。
【００３２】
図３に示すように，魚検出装置３は，基板３１と，検出器３２と，発信部３３とを有している。基板３１は，平板から成り，側壁２１の内側で底部２２の上に配置されている。検出器３２は，電池に接続されて基板３１に対しスライドまたは揺動可能に取り付けられ，ブラックバスなどのスズキ目スズキ亜目サンフィッシュ科の魚類が尾びれなどで産卵床の小石などを跳ね上げたり掘り下げたり，石の表面を清掃したりといった営巣動作をすることにより，その力で押されたときスライドまたは揺動し，接点が通電してトリガーが作動し電気的に検出信号を発するようになっている。
【００３３】
発信部３３は，浮き３３ａの上部に設けられたＬＥＤなどのランプ３３ｂから成る。発信部３３は，検出器３２の検出信号に応じて発光又は点滅し，魚検知信号を発する構成を有している。浮き３３ａは，基板３１の近くの水面Ｗに浮くよう基板３１とコード３４で連結されている。なお，発信部３３は，ランプ３３ｂの代わりに，スライドして色が変わる着色板から成ってもよい。
【００３４】
図１および図４に示すように，各刺網支持材４は，棒状であって，それらの間に側壁２１の出入口２４を挟むように取り付け可能となっている。各刺網支持材４は，下端４ａが尖っており，水底Ｓに突き刺しやすくなっている。各刺網支持材４は上端にフック４ｂを有している。心棒５は，出入口２４の上方で刺網支持材４に架け渡されて回転可能に支持されている。刺網６は，長方形状の小型専用のものであって，その上端となる一辺が心棒５の側面に取り付けられ，その一辺の反対側の下端となる辺に沿って錘入りロープ６ａが取り付けられている。刺網６は，心棒５に巻き付けられた状態で出入口２４を開き，錘入りロープ６ａが降下して心棒５が回転するとき広がって出入口２４を閉鎖するようになっている。
【００３５】
タイマー７は，刺網支持材４に固定され，検出器３２の検出信号を受けてから一定時間後に作動信号を送る構成を有している。ストッパ８は，例えば電池に接続された電磁プランジャから成り，心棒５に取り付けられている。ストッパ８は，タイマー７から作動信号を受けたとき，プランジャ８ａを基部８ｂに対し突出した状態から引っ込んだ状態に移動させるようになっている。ストッパ８は，基部８ｂから突出した状態で心棒５を刺網支持材４に固定し，基部８ｂから引っ込んだ状態で心棒５の固定を解除する構成を有している。ストッパ８は，心棒５の固定を解除することにより刺網６の保持を解除し，刺網６の錘入りロープ６ａを降下させて心棒５を回転させ，刺網６に出入口２４を閉じさせるようになっている。
【００３６】
次に作用について説明する。
魚捕獲装置１は，ブラックバスなどのスズキ目スズキ亜目サンフィッシュ科の魚類を駆除したい沼や湖などの水底Ｓに設置して用いる。人工産卵床２は，産卵場所を覆う側壁２１を有し，砂利２５が底部２２に敷設されているため，ブラックバスなどのスズキ目スズキ亜目サンフィッシュ科の魚類に産卵場所として好まれ，ブラックバスなどが集まりやすい。ブラックバスなどの魚類は，営巣動作として尾びれなどで産卵床の小石などを跳ね上げたり，石の表面を清掃したりする動作を行う。側壁２１の内側に魚が入り，魚検出装置３の検出器３２が営巣動作などにより魚の力で押されたとき，検出信号を発する。検出器３２の検出信号に応じて発信部３３が発光又は点滅による魚検知信号を発する。水面Ｗの発信部３３の表示を確認することにより，水中視界が劣悪であっても，誰でも確実にしかも短時間に営巣を確認できる。
【００３７】
その検出信号に応じてタイマー７が作動し，設定時間後，ストッパ８が心棒５の固定を解除することにより刺網６の保持を解除する。観察の結果，営巣したブラックバス雄魚は産卵が始まると逃避することなく攻撃的になる傾向が認められた。したがって，産卵後は営巣した雄を刺網６などで捕獲することがさらに容易になるため，営巣を開始してから２〜３日後に刺網６を設置するのが適当である。このため，魚検出装置３の検出器３２が営巣を検出した時にタイマー７を自動的に作動させ，一定時間後に，魚捕獲装置１の刺網６を自動的に降下させて設置することにより，効率化と省力化を同時に図ることができる。
【００３８】
刺網６は，心棒５に巻き付けられており，刺網支持材４により側壁２１の魚の出入口２４の上方で支持されて出入口２４を開いた状態から下端の錘入りロープ６ａが自重で降下して，図１に示すように魚の出入口２４を自動的に閉じる。これにより，熟練漁業者がいなくても容易に刺網６で魚を捕獲することができる。魚を捕獲したことは，魚検知信号により容易に知ることができる。
【００３９】
魚検出装置３により営巣を確認した後，営巣した人工産卵床２に刺網など漁具を設置することによりブラックバス親魚を捕獲することも可能である。しかし，刺網は網同士が絡まり合ったり，他の器物に絡まったりして，操作に熟練を要する。また，設置した刺網が風などにより移動することもあるので，適切に設置するためにも熟練を要する。これに対し，魚捕獲装置１では，刺網６が心棒５に巻き取られているため，運搬が容易で，絡んだり損傷したりしにくく，刺網支持材４へ取り付けて刺網６を引き下ろすだけで設置できる。このため，だれでも確実かつ短時間に刺網６を設置することができる。なお，営巣確認後に，刺網支持材４に心棒５を設置し，刺網６を引き降ろすようにしてもよい。
【００４０】
魚捕獲装置１は，簡単な構成から成るため，内水面漁場の規模に合わせて設置数を調節することにより効率よく捕獲作業を実施できる。また，スズキ目スズキ亜目サンフィッシュ科の魚類に特有の営巣動作を利用して，その魚類のみを検出し捕獲することができるので，捕獲した魚を選り分ける作業の必要がなく，ブラックバスを効果的に捕獲することができ，また，他の有用魚類を誤って漁獲することもない。親魚を捕獲すると，卵は他の魚などに食べられて自然に死滅するが，取り出して確実に死滅させてもよい。
【００４１】
従来，誘導したブラックバスを捕獲するためには，設置後にブラックバス親魚の営巣確認作業を週２回実施する必要があり，多数の熟練調査員を確保しなければならなかった。これに対し，魚捕獲装置１によれば，水中観察および熟練した調査員を必要とせずに，親魚の生息状況を容易かつ正確に確認し，確認作業の省力化を図ることができる。このため，これまで捕獲困難であった透明度の低い水域で，バス親魚を高率に誘導することが可能である。また，ブラックバスの親魚を捕獲するための刺網６を人工産卵床２に簡単に装着できる。これにより，作業を簡便化し，熟練した漁業者を必要とせずにブラックバスを捕獲，駆除して繁殖を阻止し，同時に，産みつけられた卵を自動的に死滅させることができる。ブラックバス親魚と卵を駆除することにより，生態系の復元を図ることができる。魚捕獲装置１は，設置，観察，捕獲などの作業時間の短縮が可能であり，それにより，バスの食害による影響が大きな多数の漁場で大量設置が可能である。
【００４２】
次に，本発明の他の実施の形態の魚捕獲装置について説明する。
図５および図６は本発明の他の実施の形態を示し，図５はその魚捕獲装置の（Ａ）魚を検出する前の状態を示す斜視図，（Ｂ）魚を検出したときの状態を示す斜視図，図６は図５の魚捕獲装置の魚検出装置の（Ａ）浮きを示す斜視図，（Ｂ）側面図である。
【００４３】
図５および図６に示すように，魚検出装置５０が，基板５１と浮き５２とを有している。基板５１は，サビ止め塗装がなされた鉄板から成る。浮き５２は，石に模したピンポン玉から成り，表面に磁石５３が固定されている。磁石５３は，魚の力で押されたとき基板５１から離れる吸着力で，浮き５２の浮力に抗して基板５１に吸着している。魚検出装置５０は，図５（Ａ），（Ｂ）に示すように，前述の人工産卵床２に設置される。浮き５２は，人工産卵床２の近くの水面Ｗに浮くよう人工産卵床２と連結糸５４で連結されている。
【００４４】
次に作用について説明する。
基板５１に磁力で吸着した浮き５２は，ブラックバスが営巣動作により尾びれなどで砕石を掘り下げたり周辺の小石を押して跳ね上げたり，石の表面を清掃したりしたとき，衝撃で基板５１から離れて，水面Ｗに浮かび上がる。これにより，魚がいることを検出することができる。浮き５２は，連結糸５４で人工産卵床２に連結されているため，浮上後，簡単に発見され，ブラックバスの営巣を容易に確認することができる。
【００４５】
営巣動作により浮き５２が基板５１から離れて浮かび上がることを確認するため，水槽実験を行った。水槽実験では，ブラックバス雌雄各３尾を直径5ｍの水槽に収容し，観察した。人工産卵床２3基に対し，浮き５２を6個設置後，２日目における観察では6例中，5例で100％浮き５２が浮上していた。残り１例では83.3％の浮上率であった。このように，ブラックバス親魚は営巣時に浮き５２をほとんど100％浮上させることが確認されている。なお，ブラックバスの卵は，孵化に３日はかかるため，３日以内に営巣を確認できれば，親魚および卵の駆除が可能である。
【００４６】
さらに，浮き５２が水流で基板５１から離れないことを確認するため，水流を変化させた水槽において実験を行った。その結果，基板５１に付着させた浮き５２は，２０cm／秒以下の流速中では浮上することがなかった。したがって，流れの速い河川や強風条件下以外で，自然に浮き５２が浮上することはないと判断された。
【００４７】
魚検出装置５０は，基板５１と浮き５２の簡単な構成から成るため，内水面漁場の規模に合わせて設置数を調節することにより効率よく捕獲作業を実施できる。また，ブラックバスなどのスズキ目スズキ亜目サンフィッシュ科の魚類に特有の営巣動作を利用することにより，その魚類のみを検出し捕獲することができるので，捕獲した魚を選り分ける作業の必要がなく，ブラックバスを効果的に捕獲することができ，また，他の有用魚類を誤って漁獲することもない。
【００４８】
魚検出装置５０は，浮き５２が基板５１から離れたとき検出信号を発する検出器３２を有していてもよい。この構成の場合，前述の魚捕獲装置１で魚検出装置５０の代わりに用いることができる。
【図面の簡単な説明】
【００４９】
【図１】本発明を実施するための最良の形態の魚捕獲装置を示す斜視図である。
【図２】図１の魚捕獲装置の人工産卵床を示す斜視図である。
【図３】図１の魚捕獲装置の魚検出装置を示す斜視図である。
【図４】図１の魚捕獲装置の刺網支持材で支持された刺網を示す斜視図である。
【図５】本発明の他の実施の形態の魚捕獲装置の（Ａ）魚を検出する前の状態を示す斜視図，（Ｂ）魚を検出したときの状態を示す斜視図である。
【図６】図５の魚捕獲装置の魚検出装置の（Ａ）浮きを示す斜視図，（Ｂ）側面図である。
【符号の説明】
【００５０】
１    魚捕獲装置
２    人工産卵床
３    魚検出装置
４    刺網支持材
５    心棒
６    刺網
７    タイマー
８    ストッパ
２１  側壁
２２  底部
２３  ネットカバー
２４  出入口
２５  砂利
３１  基板
３２  検出器
３３  発信部
５０  魚検出装置
５１  基板
５２  浮き
５３  磁石
５４  連結糸
【図３】
2005312328.tif 000003
【図１】
2005312328.tif 000004
【図２】
2005312328.tif 000005
【図４】
2005312328.tif 000006
【図５】
2005312328.tif 000007
【図６】
2005312328.tif 000008